(57)【要約】【課題】フック式のラッチ装置において、構成が簡単で破壊されにくいフック式ラッチ装置を提供する。【解決手段】ケース１の中央部に、先端の鎌部がケースから出没するよう第一フック７と第二フック８を枢着する。ケースの長手方向に移動可能にスライダー９を設け、このスライダーにフックの出没方向に延びる回動案内溝部と、スライダーの移動方向に延びる停止溝部を有するガイド溝４１を設ける。ガイド溝には第一フックに設けた制御ピン１９が係合し、第一フックの先端がケースから突出したとき、制御ピン１９は停止溝部４３に入り込む。【選択図】図４
2017110412.tif 000002
【特許請求の範囲】
【請求項１】
先端に鎌部を有し回転した際ケースの開口部から該鎌部が出没するよう基端をケース内にそれぞれ枢着した第一フック及び第二フックと、ケースの長手方向にスライド可能に設けられたスライダーを具備し、上記第一フックと第二フックは、重ね合わされた状態でケース内に収納されかつ一方のフックに設けた連動ピンとこの連動ピンが摺動可能に係合するよう他方のフックに設けた旋回溝により第二フックは第一フックに従動回転し、上記スライダーと第一フックには、フックの出没方向に延びる回動案内溝部とスライダーの移動方向に延びる停止溝部をＬ字状に連続して有するガイド溝がいずれか一方の部材に設けられており、他方の部材には上記ガイド溝に摺動可能に係合する制御ピンが設けられており、該制御ピンと回動案内溝部に案内されてフックの先端がケースの開口部から突出する位置にフックが回動したとき上記制御ピンが上記停止溝部に嵌合するようにしたフック式ラッチ装置。
【請求項２】
上記ガイド溝はスライダーに設けられており、上記制御ピンは第一フックに設けられている請求項１に記載のフック式ラッチ装置。
【請求項３】
上記ケースには回転つまみが設けられ、該回転つまみはケース内に設けたつまみリンクに連結し、該つまみリンクには摺動溝が設けられており、スライダーには該摺動溝に係合するスライダー軸が設けられ、回転つまみを回転してスライダーをケースの長手方向に移動させるようにした請求項１に記載のフック式ラッチ装置。
【請求項４】
上記ケースとスライダーの間には、該スライダーを移動した位置に付勢するスプリングが設けられている請求項３に記載のフック式ラッチ装置。
【請求項５】
上記スライダーを直接移動させるようスライダーと一体的なスライドつまみをケースの長手方向に設けた請求項１に記載のフック式ラッチ装置。
【請求項６】
上記スライドつまみと第二フックの枢着部の間には、スライダーを移動した位置に付勢するスプリングが設けられている請求項５に記載のフック式ラッチ装置。
【発明の詳細な説明】
【技術分野】
【０００１】
本発明は、網戸等の障子の施解錠に好適に使用されるラッチ装置に関し、特に鎌形のフックを窓枠等に設けた受け部材に掛け止めるようにしたフック式ラッチ装置に関する。
【背景技術】
【０００２】
鎌形のフックを回転して引き戸や網戸の施錠、解錠を行うフック式ラッチ装置が広く使用されており、フックを一つ有するものや、二つ有するラッチ装置が知られている。フックが一つのラッチ装置では、受け部材の一か所にフックを掛け止めるだけであるため、簡単に解錠されるおそれがある。また、二つのフックを有するラッチの場合、各フックをラッチ本体の両端に対向状態に設けてそれぞれを出没させるようにしたものでは、ラッチ本体が大きくなって障子に組み込むのが面倒であり、かつ二つのフックが独立して設けられているので、強度が弱く、障子と戸枠の隙間からドライバー等の破壊具を差し込んでフックが破壊されるおそれがある。二つの鎌形のフックの一部を重ね合わせた状態でラッチ本体内に組み込み、本体の中央部からフックの先端が開いた状態に突出したり、閉じた状態で没入するようにしたロック装置も知られている (例えば特許文献１参照)。
【０００３】
特許文献１に記載のロック装置は、ケース内に上鎌体と下鎌体と連動体を設け、連動体をスライドさせたとき、上記上鎌体が回転しながらケースから出没するようケース内に回転体を設けてある。施解錠するにはこの回転体を介して上鎌体を回転させなければならないので、部品点数が多くなり、構成も複雑である。また、特許文献１の図４に記載されているように、特許文献１の装置では、上下の鎌体を外部から押すと、上下鎌体が回動しながらケース内に引き込まれる構造になっているので、防犯上安全とは言えない。
【先行技術文献】
【特許文献】
【０００４】
【特許文献１】実公昭５２−６５４８号公報(実用新案登録請求の範囲、３欄４０行〜４欄１５行、第３図、第４図)
【発明の概要】
【発明が解決しようとする課題】
【０００５】
本発明は、二つのフックを有するフック式ラッチ装置において、部品点数が少なく、構造が簡単でコンパクトに形成することができ、外部から強制的に解錠されにくいフック式ラッチ装置を提供することである。
【課題を解決するための手段】
【０００６】
本発明によれば、先端に鎌部を有し回転した際ケースの開口部から該鎌部が出没するよう基端をケース内にそれぞれ枢着した第一フック及び第二フックと、ケースの長手方向にスライド可能に設けられたスライダーを具備し、上記第一フックと第二フックは、重ね合わされた状態でケース内に収納されかつ一方のフックに設けた連動ピンとこの連動ピンが摺動可能に係合するよう他方のフックに設けた旋回溝により第二フックは第一フックに従動回転し、上記スライダーと第一フックには、フックの出没方向に延びる回動案内溝部とスライダーの移動方向に延びる停止溝部をＬ字状に連続して有するガイド溝がいずれか一方の部材に設けられており、他方の部材には上記ガイド溝に摺動可能に係合する制御ピンが設けられており、該制御ピンと回動案内溝部に案内されてフックの先端がケースの開口部から突出する位置にフックが回動したとき上記制御ピンが上記停止溝部に嵌合するようにしたフック式ラッチ装置が提供され、上記課題が解決される。
【０００７】
本発明によれば、上記ガイド溝がスライダーに設けられており、上記制御ピンが第一フックに設けられている上記フック式ラッチ装置が提供される。
【０００８】
また、本発明によれば、ケースに設けた回転つまみを回転させることによりつまみリンクを回転し該つまみリンクに係合するスライダーピンをスライダーに設けて該スライダーをケースの長手方向に移動させるようにした上記フック式ラッチ装置や、上記スライダーを直接移動させるようスライダーと一体的なスライドつまみをケースの長手方向に設けた上記フック式ラッチ装置が提供される。
【発明の効果】
【０００９】
本発明のフック式ラッチ装置は、上記のように第一フック及び第二フック及びスライダーにより構成されているので、部品点数が少なく、組立も簡単でコンパクトに形成することができ、経済的に得られる。そして、第一フックと第二フックはケース内で重ね合されているので、強度を高めて壊れにくくできるとともにフックの先端がケースから突出した状態で制御ピンがガイド溝の停止溝部に嵌合するようにしたから、不審者が外部からフックをケース内に押し込んで解錠しようとしても、フックはスライダーに拘束されていて回転しないのでフックを引っ込めることができず、一層安全である。  
【図面の簡単な説明】
【００１０】
【図１】本発明の一実施例を示す斜視図。
【図２】図１に示す装置の縦断面図。
【図３】図１に示す装置の横断面図。
【図４】分解斜視図。
【図５】第一フックの平面図。
【図６】第二フックの平面図。
【図７】スライダーの平面図。
【図８】ケースを省略して正面からみた説明図。
【図９】裏面からみた説明図。
【図１０】フックが突出して状態の説明図。
【図１１】フックが収納される途中の説明図。
【図１２】フックを収納した状態の説明図。
【図１３】他の実施例を示し、ケース省略した説明図。
【図１４】図１３に示す装置のフックが突出した状態の説明図。
【図１５】図１３に示す装置のフックが収納される途中の説明図。
【図１６】図１３に示す装置のフックを収納した状態の説明図。
【発明を実施するための形態】
【００１１】
本発明の一実施例を示す図１〜図３を参照し、略縦長矩形状のケース１は、障子(図示略)に取り付けるため孔縁を内方に突出させた取付孔２を形成した表面部３を有し、該表面部の周囲を屈曲して側片４が形成され、一側の側片には開口部５が形成されている。ケースの内部には上記表面部との間に収納空間を形成するよう裏蓋６が設けられ、上記取付孔２の内方に形成した孔縁にかしめて固定される。この収納空間には、第一フック７及び第二フック８とスライダー９が収納され、後記するように、第一フック７が回転すると、第二フック８が第一フックに従動して回転し、ともに先端がケースの開口部５から突出したり、ケース内に収納されたりする。
【００１２】
上記第一フック７は、板状体であり、図５に示すように、先端に鎌部１０を有し、基端が弧状に形成され、該基端に設けた取付孔１１に裏蓋６側からフック軸１２を挿通して枢着され、先端が上記開口部５から突出する施錠位置と、先端がケース内に完全に収納される解錠位置に回転可能である。また、上記弧状の基端に続く第一フック７の一方の側縁１３はフック軸１２の取付孔１１を通る仮想中心線(図示略)に対して外方に傾斜して幅広となり、一方の側縁は途中から内方に屈曲１４して上記鎌部に続いている。この屈曲部１４の近くには、連動ピン１５を取り付けるための取付孔１６が形成されている。基端に続く第一フック７の他方の側縁１７は、上記屈曲部１４よりも基端側で上記仮想中心線に沿う方向に屈曲１８し、途中から鎌部１０を形成するために仮想中心線方向にほぼ直角に湾曲し、この直角部の内方には制御ピン１９を取り付けるための取付孔２０が設けられている。
【００１３】
上記第二フック８は、板状体であり、図６に示すように、上記第一フック７の鎌部１０とは逆向きの鎌部２１を先端に有し、弧状の基端に設けた取付孔２２に裏蓋６側からフック軸２３を挿通して枢着され、先端が上記開口部５から突出する施錠位置と、上記第一フック７の裏側に重ね合された状態で先端２１がケース内に完全に収納される解錠位置に回転可能である。また、上記第二フック８の弧状の基端に続く一方の側縁２４は外方に傾斜して中間部が広がり、途中から屈曲２５して上記鎌部２１に続き、上記中間部には上記第一フック７に設けた連結ピン１５が摺動可能に係合する旋回溝２６が形成されている。第二フックの基端に続く他方の側縁２７は、鎌部２１を形成するために途中で湾曲している。上記旋回溝２６と連動ピン１５の組み合わせにより、第一フック７の先端がケース１から突出する方向に第一フックが回転するとき、第二フック８は従動して回転し、先端がケースから突出する。また、第一フック７の先端がケース１内に収納される方向に第一フックが回転するとき、第二フック８は従動して回動し、先端がケース内に収納される。なお、図に示す実施例とは反対に、第一フック７側に旋回溝２６を形成し、第二フック８側に連動ピン１５を設けることもできる。
【００１４】
上記スライダー９はケース１の長手方向に対向して延びる側片４間に内接する幅に形成され、長手方向にスライド可能にケース１の表面部３の裏面と第一フック７の間に設けられている。該スライダーを移動するには、図に示す実施例では、アーム２８を有するつまみリンク２９をケースの内部に設け、ケースの表面部３から差し込んだ回転つまみ３０の基部を上記つまみリンク２９に連結してある。つまみリンク２９のアーム２８には摺動溝３１を設けてあり、上記スライダー９にはこの摺動溝３１に係合するスライダー軸３２を設けてある。この構成により回転つまみ３０を回転させると、摺動溝３１とスライド軸３２を介してスライダー９はケース１の長手方向に沿って、図１、図４においては左行、右行し、図８、図９においては上昇、降下する。上記スライダー９とケース１の内面には、それぞれスプリング軸３３，３４を突設してあり、このスプリング軸３３、３４間にトーションスプリング３５を架け渡すことにより、スライダー９の移動の始端位置及び終端位置で、それぞれその位置に存するようにスライダー９を付勢している。
【００１５】
上記スライダー９は、直接的に直線動させて移動させることもできる。図１３〜図１６はそのような実施例を示し、図１３においてスライダー９は、ケース１の長手方向に延びケース端から突出する端部につまみ片３６を形成したスライドつまみ３７の中央部分に一体的に形成されている。該スライドつまみ３７には上記フック軸１２、１３や取付孔２の内縁との干渉を避けるために適宜形状の長孔３８を設けてある。スライドつまみ３７にはスプリング軸３９を突設してあり、このスプリング軸３９と第二フック８のフック軸２３間にトーションスプリング４０を架け渡してスライドつまみ３７の移動の始端位置及び終端位置でそれぞれその位置に存するようにスライドつまみを付勢している。
【００１６】
上記スライダー９と第一フック７のいずれか一方の部材にはガイド溝４１が形成され、他方の部材にはガイド溝４１に摺動可能に嵌合する制御ピン１９が設けられている。図に示す実施例では、上記のように制御ピン１９は、第一フック７に設けられ、スライダー９にガイド溝４１が設けられている。該ガイド溝４１は、フック７、８の出没方向に延びる回動案内溝部４２と、該回動案内溝部４２にＬ字状に連続して形成されスライダー９の移動方向に延びる停止溝部４３を具備している。スライダー９がケース１の長手方向に移動するとき、該制御ピン１９が回動案内溝部４２に沿って移動することにより第一フック７はフック軸１２を中心として回転し、フック７の先端の鎌部１０がケースの開口部５から突出したり、ケース内に収納される位置に回動される。そして、フック７の先端がケースから突出した位置にフック７が回動したとき、上記制御ピン１９が回動案内溝部４２から上記停止溝部４３に嵌合するように上記停止溝部４３が形成されている。なお、スライダー９に制御ピン１９を設け、第一フック７にガイド溝４１を設けることもできる。
【００１７】
上記の構成により、回転つまみ３０を回転し、若しくはスライドつまみ３７を移動させてスライダー９をケースの長手方向に移動させると、ガイド溝４１の回動案内溝部４２と制御ピン１９に案内されて第一フック７が、回動し、図１２、図１６に示すように、解錠状態にある第一フック７は先端が、図１１、図１５に示すように、ケースの開口部５から回動しながら突出し、窓枠に設けた受け金具(図示略)に鎌部１０が係合する。第二フック８は第一フック７に従動して回転するので、第一フック７と同様に先端が開口部から突出して受け金具に係合し、両フックにより障子は施錠状態となる(図１０、図１４)。上記第一フック７が突出位置に回動したとき、制御ピン１９はガイド溝４１の停止溝部４３に嵌入する(図８、図９)。そのため第一フック７を、外部からケース１内に押し込もうとしても基部がフック軸に枢着されている第一フック７は、制御ピン１９が停止溝部４３の縁部にあたり、スライダー９は回転しないから、結果として回動することができず、ケース内に引き込ませることは不可能である。
【００１８】
図１０、図１４に示す施錠状態から上記回転つまみ３０若しくはスライドつまみ３７を操作して上記スライダー９を逆方向に移動させると、制御ピン１９はガイド溝４１の停止溝部４３から外れ、その後回動案内溝部４２の縁部にあたり、回動案内溝部４２に沿って没入方向に移動し、第一フック７の先端をケース内に引き戻すことができる。同時に、第二フック８も第一フック７に従動して回転、その先端がケース内に収納されて、解錠状態となる。
【００１９】
上述したように、第一フック及び第二フックとスライダーは、ピン部材と溝により連動して移動するように構成しているから、適宜溝の形状を変えることにより図に示す部材を反対側の部材に設けることができ、また、スライダーの移動機構としてレバー機構その他の適宜の機構を採用することができることは、当業者には明らかなことである。
【符号の説明】
【００２０】
７    第一フック
８    第二フック
９    スライダー
１５  連動ピン
１９  制御ピン
２６  旋回溝
２９  つまみリンク
３０  回転つまみ
３１  摺動溝
３２  スライダー軸
３７  スライドつまみ
４１  ガイド溝
４２  回動案内溝部
４３  停止溝部
【図１】
2017110412.tif 000003
【図２】
2017110412.tif 000004
【図３】
2017110412.tif 000005
【図４】
2017110412.tif 000006
【図５】
2017110412.tif 000007
【図６】
2017110412.tif 000008
【図７】
2017110412.tif 000009
【図８】
2017110412.tif 000010
【図９】
2017110412.tif 000011
【図１０】
2017110412.tif 000012
【図１１】
2017110412.tif 000013
【図１２】
2017110412.tif 000014
【図１３】
2017110412.tif 000015
【図１４】
2017110412.tif 000016
【図１５】
2017110412.tif 000017
【図１６】
2017110412.tif 000018